(57)【要約】【課題】外側ケースと内側ケース間の固定強度が強くがたつきを生じず、スイッチオンオフ時のタイミングがずれないスイッチを提供する。【解決手段】固定接点体４０，５０と、固定接点体４０，５０間を接離する可動接点体６０とを収納する内側ケース１０と、操作レバー挿通孔８３を有するカバー８０と、内部に収納した内側ケース１０の端子４３，５３を底面から突出させる外側ケース１００と、カバー８０の上部に設置され外側ケース１００に揺動自在に軸支され、可動接点体６０を操作する操作レバー１９０を有する操作つまみ１５０とを具備する。内側ケース１０の底面を外側ケース１００の内底面に当接させた状態で内側ケース収納部１０１内を横断するように架け渡されて外側ケース１００に固定される押え部材１３０によってカバー８０の上面を内側ケース１０に押し付けて内側ケース１０とカバー８０と外側ケース１００とを一体化する。【選択図】図３
2011018600.tif 000002
【特許請求の範囲】
【請求項１】
上面が開口している接点収納部を有し、この接点収納部内に、少なくとも一対の固定接点体と、前記一対の固定接点体間を接離する可動接点体とを収納し、底面に前記固定接点体から導出される端子を突出してなる内側ケースと、
前記内側ケースの上面を覆うとともに操作レバー挿通孔を設けてなるカバーと、
上面が開口している内側ケース収納部を有し、この内側ケース収納部に収納した前記内側ケースの端子を底面から外部に突出する外側ケースと、
前記カバーの上部に設置され前記外側ケースに揺動自在に軸支されるとともに、前記カバーの操作レバー挿通孔に挿入されて前記可動接点体を操作する操作レバーを有する操作つまみとを具備するスイッチにおいて、
前記内側ケースの底面を前記外側ケースの内側ケース収納部の内底面に当接させた状態で、前記外側ケースの内側ケース収納部内を横断するように架け渡されて外側ケースに固定される押え部材によって前記カバーの上面を内側ケースに押し付け、これによって内側ケースとカバーと外側ケースとを一体化することを特徴とするスイッチ。
【請求項２】
請求項１に記載のスイッチであって、
前記押え部材は、前記外側ケースの対向する外周側壁に設けた一対の取付部にその両端が係止されることで、内側ケース収納部内に架け渡されることを特徴とするスイッチ。
【請求項３】
請求項２に記載のスイッチであって、
前記押え部材の一方の端部の先端には前記外側ケースの取付部に挿入する挿入突起部を設け、他方の端部近傍の外周側辺には前記外側ケースの取付部に挿入した押え部材の抜けを防止する係止爪を設け、
さらに前記係止爪を設けた側の押え部材の先端部分には、この先端部分を２つ割りにして前記係止爪を設けた部分に弾性を持たせるスリットを形成したことを特徴とするスイッチ。
【発明の詳細な説明】
【技術分野】
【０００１】
本発明は、操作つまみの揺動によってスイッチ接点を切り換える揺動型（シーソー型）のスイッチに関し、特に電源のオンオフに用いて好適なスイッチに関するものである。
【背景技術】
【０００２】
従来、揺動型の電源スイッチ（電源のオンオフに用いるスイッチ）の中には、たとえば特許文献１の第４図，第５図に示すスイッチのように、他の部材への取付用の弾性爪（係合弾性爪）（１５）を設けた外側ケース（上ケース）（１）の内部に、その下側から内側ケース（下ケース）（８）を挿入し、内側ケース（８）内に設置した可動接点体（接点板）（１１）を内側ケース（８）の上部に設置した操作つまみ（レバー部）（４）によって操作することで、内側ケース（８）内に設置した固定接点体（支持端子と固定端子）（９，１０）間のオンオフを切り換えるように構成したものがある。外側ケース（１）と内側ケース（８）間の固定は、内側ケース（８）の外周側壁に設けた係合爪（８ａ）を外側ケース（１）に設けた係合穴（１ｂ）に係合することによって行っている。
【０００３】
ところで一般に前記外側ケース（１）は、弾性爪（１５）を一体的に形成するため、その材料として可撓性を有する熱可塑性の樹脂を用いている。一方前記内側ケース（８）とこれを塞ぐカバー（１４）は、接点切換え時のアークにより内側ケース（８）及びカバー（１４）が炭化して絶縁破壊に至ることを防止するため、その材料として耐アーク性に優れる熱硬化性の樹脂を用いている。つまり上記電源スイッチは、耐アーク特性を満足させるために内側ケース（８）及びカバー（１４）を耐アーク性に優れた熱硬化性の樹脂で形成するとともに、弾性爪（１５）などの複雑な形状の成型が行え且つ可撓性を持たせるなどのために外側ケース（１）を熱可塑性の樹脂で形成することとしている。
【先行技術文献】
【特許文献】
【０００４】
【特許文献１】実開平３−９２３３１号公報
【発明の概要】
【発明が解決しようとする課題】
【０００５】
上記従来の電源スイッチの組み立ては、外側ケース（１）の底面に設けた開口から内側ケース（８）及びカバー（１４）を挿入し、内側ケース（８）の係合爪（８ａ）を外側ケース（１）の係合孔（１ｂ）に係合することによって行われる。しかしながらこのようにして外側ケース（１）内に内側ケース（８）及びカバー（１４）を収納した場合、係合爪（８ａ）と係合孔（１ｂ）との固定の強度は強いとはいえず、経時的に両者間の固定強度に緩みが生じ、上下方向のがたつきが生じてしまう恐れがあった。またがたつきが生じていなくても、係合爪（８ａ）と係合穴（１ｂ）の係合構造は、両者を引き離す方向に対してはこれを阻止する強い力が生じるが、内側ケース（８）を外側ケース（１）内に押し込む方向に対してはこれを阻止する強い力が生じない構造なので、たとえば操作つまみ（４）を一方の側から他方の側に揺動させることで可動接点体（１１）を反転揺動させる際に生じる強い衝撃力により、いずれかの係合爪（８ａ）が係合穴（１ｂ）内で上方向に瞬間的に浮いてしまう（弾んでしまう）恐れがあった。係合爪（８ａ）が係合穴（１ｂ）内で上方向に浮くということは、外側ケース（１）内で内側ケース（８）が振動していることを意味し、この振動によって、可動接点体（１１）の反転揺動のタイミングと操作つまみ（４）の揺動のタイミングとにずれが生じ、スイッチが左右に入るたびにそのタイミングがずれてしまうなどの恐れがあった。
【０００６】
本発明は上述の点に鑑みてなされたものでありその目的は、外側ケースと内側ケース間の固定強度が強く、がたつきを生じる恐れがなく、操作つまみの揺動時にスイッチのオンオフタイミングがずれない、構造が簡単で組立の容易なスイッチを提供することにある。
【課題を解決するための手段】
【０００７】
本願請求項１に記載の発明は、上面が開口している接点収納部を有し、この接点収納部内に、少なくとも一対の固定接点体と、前記一対の固定接点体間を接離する可動接点体とを収納し、底面に前記固定接点体から導出される端子を突出してなる内側ケースと、前記内側ケースの上面を覆うとともに操作レバー挿通孔を設けてなるカバーと、上面が開口している内側ケース収納部を有し、この内側ケース収納部に収納した前記内側ケースの端子を底面から外部に突出する外側ケースと、前記カバーの上部に設置され前記外側ケースに揺動自在に軸支されるとともに、前記カバーの操作レバー挿通孔に挿入されて前記可動接点体を操作する操作レバーを有する操作つまみとを具備するスイッチにおいて、前記内側ケースの底面を前記外側ケースの内側ケース収納部の内底面に当接させた状態で、前記外側ケースの内側ケース収納部内を横断するように架け渡されて外側ケースに固定される押え部材によって前記カバーの上面を内側ケースに押し付け、これによって内側ケースとカバーと外側ケースとを一体化することを特徴とするスイッチにある。
【０００８】
本願請求項２に記載の発明は、請求項１に記載のスイッチであって、前記押え部材は、前記外側ケースの対向する外周側壁に設けた一対の取付部にその両端が係止されることで、内側ケース収納部内に架け渡されることを特徴とするスイッチにある。
【０００９】
本願請求項３に記載の発明は、請求項２に記載のスイッチであって、前記押え部材の一方の端部の先端には前記外側ケースの取付部に挿入する挿入突起部を設け、他方の端部近傍の外周側辺には前記外側ケースの取付部に挿入した押え部材の抜けを防止する係止爪を設け、さらに前記係止爪を設けた側の押え部材の先端部分には、この先端部分を２つ割りにして前記係止爪を設けた部分に弾性を持たせるスリットを形成したことを特徴とするスイッチにある。
【発明の効果】
【００１０】
請求項１に記載の発明によれば、内側ケースの底面を外側ケースの内底面に当接させた状態で、内側ケース収納部内を横断するように架け渡された押え部材によってカバーの上面を押え、これによって内側ケースとカバーと外側ケースとを一体化するので、外側ケースと内側ケース間の固定強度が強く、両者間でがたつきを生じる恐れがない。このことから操作つまみの揺動時にスイッチのオンオフタイミングがずれることを確実に防止できる。
【００１１】
請求項２に記載の発明によれば、押え部材は、その両端が外側ケースの対向する外周側壁に設けた一対の取付部に係止される構造なので、押え部材によって内側ケースや外側ケースなどを一体化する構造が簡単且つ確実で組立も容易である。
【００１２】
請求項３に記載の発明によれば、外側ケースの一方の取付部から押え部材の挿入突起部を設けた側の端部を挿入してゆき、この挿入突起部を他方の取付部に係合させるとともに、係止爪を前記一方の取付部に挿入することで容易に取り付けることができる。特に押え部材の係止爪を設けた側にはスリットがあって係止爪の部分には弾性があるので、係止爪はいわゆるスナップイン係合によって容易且つ確実に取り付けることができる。
【図面の簡単な説明】
【００１３】
【図１】スイッチ１を上側から見た斜視図である。
【図２】スイッチ１を下側から見た斜視図である。
【図３】図１のＡ−Ａ概略断面図である。
【図４】スイッチ１を上側から見た上側部品の分解斜視図である。
【図５】スイッチ１を上側から見た下側部品の分解斜視図である。
【図６】スイッチ１を下側から見た上側部品の分解斜視図である。
【図７】スイッチ１を下側から見た下側部品の分解斜視図である。
【図８】内側ケース１０と第１，第２固定接点体４０，５０を上側から見た分解斜視図である。
【図９】内側ケース１０と第１，第２固定接点体４０，５０を下側から見た分解斜視図である。
【図１０】スイッチ１の動作説明図である。
【発明を実施するための形態】
【００１４】
以下、本発明の実施形態を図面を参照して詳細に説明する。
図１は本発明の１実施形態にかかるスイッチ１を上側から見た斜視図、図２はスイッチ１を下側から見た斜視図、図３は図１のＡ−Ａ概略断面図、図４はスイッチ１を上側から見た上側部品の分解斜視図、図５はスイッチ１を上側から見た下側部品の分解斜視図、図６はスイッチ１を下側から見た上側部品の分解斜視図、図７はスイッチ１を下側から見た下側部品の分解斜視図である。これらの図に示すようにスイッチ１は、２組の第１，第２固定接点体４０，５０と２組の可動接点体６０とを収納した内側ケース１０と、内側ケース１０の接点収納部１１の上部開口を覆うカバー８０と、内側ケース１０とカバー８０とを収納する外側ケース１００と、内側ケース１０とカバー８０とを外側ケース１００内に固定する一対の押え部材１３０と、カバー８０の上に設置され外側ケース１００に揺動自在に取り付けられる操作つまみ１５０とを具備して構成されている。なお以下の説明において、「上」とは内側ケース１０から操作つまみ１５０を見る方向をいい、「下」とはその反対方向をいうものとする。
【００１５】
図８は内側ケース１０と第１，第２固定接点体４０，５０を上側から見た分解斜視図、図９は内側ケース１０と第１，第２固定接点体４０，５０を下側から見た分解斜視図である。これらの図に示すように内側ケース１０は合成樹脂を上面が開口した略矩形箱型に一体成形して構成されている。内側ケース１０を構成する合成樹脂としては、耐アーク性に優れたメラミン樹脂，不飽和ポリエステルなどの熱硬化性の樹脂などの絶縁材を用いる。内側ケース１０の内部には上面が開口している凹状の接点収納部１１が形成されている。接点収納部１１の中央にはこれを２つに分割する分割壁１３が形成されている。分割壁１３で分割された２つの接点収納部１１内の底面には、一対ずつスリット状の端子挿入孔１５が設けられている。また２つの接点収納部１１内の底面にはそれぞれ小突起状の位置決め係止部１７が設けられている。内側ケース１０の長手方向を向く対向する両側壁１９は短手方向を向く対向する両側壁２１よりもその高さが低くなっており、これによって凹部２３が形成されている。また内側ケース１０の底面の各端子挿入孔１５の周囲にはそれぞれの端子挿入孔１５を囲むようにリング状の突堤２５が形成され、その内部の凹部が樹脂充填部２７となっている。
【００１６】
第１固定接点体４０は、略帯形状の金属板の途中の部分を略直角に折り曲げ、その一方の部分（水平方向を向く部分）を固定接点部４１、他方の部分（垂直方向を向く部分）を端子４３としている。固定接点部４１の上面中央には略円板形状の固定接点４５が取り付けられている。各端子４３の左右両側辺の根元側の部分には、幅方向に張り出す小突起状の固定部４７が形成されている。
【００１７】
第２固定接点体５０は、略Ｌ字形状の金属板の屈曲している部分を略直角に折り曲げ、その一方の部分（水平方向を向く部分）を固定接点部５１、他方の部分（垂直方向を向く部分）を端子５３としている。固定接点部５１はさらにその一端部を上方向に略直角に折り曲げ、その先端辺に凹状の切り欠きを設けこの凹んでいる辺の部分を固定接点５５としている。固定接点５５の両側の凸部は可動接点体係止部５６となっている。各端子５３の左右両側辺の根元側の部分には、幅方向に張り出す小突起状の固定部５７が形成されている。また固定接点部５１の上方向に折り曲げている根元部分には貫通孔からなる係止部５９が設けられている。
【００１８】
内側ケース１０に第１，第２固定接点体４０，５０を取り付けるには、まず内側ケース１０の各接点収納部１１内にそれぞれ１組ずつの第１，第２固定接点体４０，５０を挿入し、第１固定接点体４０の端子４３と第２固定接点体５０の端子５３とを、内側ケース１０の各端子挿入孔１５にそれぞれ挿入する。そして内側ケース１０の底面から突出する各端子４３，５３の根元の固定部４７，５７を機械的に潰し、これによって各第１，第２固定接点体４０，５０を内側ケース１０内に固定する。そして内側ケース１０の下面の各樹脂充填部２７に、図２に示すようにエポキシ系接着剤などからなる封止樹脂３０を充填し、端子４３，５３と端子挿入孔１５との間にあるわずかな隙間を封止すると同時に、第１，第２固定接点体４０，５０の内側ケース１０への固定強度を増大させる。これによって内側ケース１０への第１，第２固定接点体４０，５０の取り付けは完了する。
【００１９】
可動接点体６０は図５，図７に示すように略帯状で細長形状の金属板で構成され、その一端近傍の下面に略円板形状の可動接点（以下「オンオフ接点」という）６１を取り付けている。また長手方向に向かう一対の外周辺のそれぞれの略中央に凹状に切り欠いてなる係止部６３を形成し、一対の係止部６３間を結ぶ可動接点体６０の下面の部分を線状の可動接点（以下「常接接点」という）６５としている。また可動接点体６０のオンオフ接点６１を設けた反対側の端部は下方向に屈曲され下方向を向く先端辺は当接部６７となっている。
【００２０】
カバー８０は図４，図６に示すように、合成樹脂を略矩形状であって前記内側ケース１０の接点収納部１１の上部開口を覆う寸法形状に成形して構成されており、前記内側ケース１０の凹部２３に対向する両辺には下方向に突出してこの凹部２３を塞ぐ側壁部８１が設けられている。カバー８０を構成する合成樹脂としては、耐アーク性に優れたメラミン樹脂，不飽和ポリエステルなどの熱硬化性の樹脂などの絶縁材を用いる。カバー８０の上面中央には並列に２つの上下に貫通する操作レバー挿通孔８３が形成されている。各操作レバー挿通孔８３は前記内側ケース１０の各接点収納部１１の中央に対向する位置に形成されている。カバー８０の上面の操作レバー挿通孔８３の両側には、下記する押え部材１３０を挿入・ガイドする一対のガイド溝８５，８５が形成されている。
【００２１】
外側ケース１００は図５，図７に示すように、合成樹脂を上面が開口した略矩形箱型に一体成形して構成されている。外側ケース１００を構成する合成樹脂としては、前記内側ケース１０を構成する樹脂よりも可撓性を有する熱可塑性の樹脂、たとえば難燃性のポリアミド，ポリアセタールなどの絶縁材を用いる。外側ケース１００の内部には上面が開口している凹状の内側ケース収納部１０１が形成され、その底面には４つの略矩形状の貫通孔からなる端子挿通部１０３が形成されている。各端子挿通部１０３は前記内側ケース１０の各突堤２５を挿入する寸法形状に形成されている。外側ケース１００の対向する両側壁（下記する操作つまみ１５０の揺動軸にほぼ垂直な両側壁）の上部中央には円形に貫通する軸支孔１０５が形成され、また同じ側壁の軸支孔１０５の両側には、それぞれ略矩形状に貫通する取付部１０７ａ，１０７ｂが形成されている。両取付部１０７ａ，１０７ｂの高さ方向の幅寸法はほぼ同一であるが、水平方向の長さ寸法は異なっていて一方の取付部１０７ａは他方の取付部１０７ｂよりも短い。一方の側壁に設けられる取付部１０７ａともう一方の側壁に設けられる取付部１０７ｂは対向しており、一方の側壁に設けられる取付部１０７ｂともう一方の側壁に設けられる取付部１０７ａも対向している。外側ケース１００の前記取付部１０７ａ，１０７ｂを設けていない対向する両側壁の外周面には、それぞれ一対ずつ弾発係止部１０９が形成されている。弾発係止部１０９は上下方向にのびて外方向に膨らむ略Ｖ字状の平板状のアームであり、その上下端を側壁に接続することで弾性を有する。アームの上部の外側面には凹凸状の係止部１０９ａが形成されている。
【００２２】
押え部材１３０は合成樹脂を略細長平板形状に成形して構成されており、前記外側ケース１００の取付部１０７ｂにぴったり挿入できる寸法形状となっている。押え部材１３０を構成する合成樹脂としては、たとえば熱可塑性のＰＢＴ（ポリブチレンテレフタレート）樹脂などの絶縁材を用いる。押え部材１３０の一方の端部の先端には前記外側ケース１００の取付部１０７ａに挿入する挿入突起部１３１が設けられ、他方の端部近傍の両外周側辺には外側ケース１００の取付部１０７ｂに挿入した押え部材１３０の抜けを防止する一対の係止爪１３３が設けられ、さらに係止爪１３３を設けた側の押え部材１３０の先端部分にはこの先端部分を２つ割りにして係止爪１３３を設けた部分に弾性を持たせるスリット１３５が形成されている。挿入突起部１３１は略矩形状で前記取付部１０７ａにぴったり挿入される寸法形状を有する。係止爪１３３は挿入突起部１３１を設けた端部側から他方の端部側に向けて押え部材１３０の幅寸法を徐々に広げていくテーパ形状（三角形状）となっており、最も広がった側の端部が内側ケース収納部１０１の内面側に係止される。スリット１３５は直線状であって、係止爪１３３を形成した部分を超える位置まで内部に入り込むように形成されていて、係止爪１３３を設けた部分に十分な弾性力を与えるようにしている。
【００２３】
操作つまみ１５０は図４，図６に示すように、つまみ外装体１６０とつまみ本体１７０と弾発部材１８０とを具備して構成されている。つまみ外装体１６０は合成樹脂（たとえばＡＢＳ樹脂やポリカーボネート樹脂）の成型品であり、下面が解放された略矩形箱型に形成され、下面側の凹部が本体収納部１６１となっている。本体収納部１６１の底面には４つの小突起からなる本体取付部１６３が形成されている。つまみ外装体１６０の前記外側ケース１００の軸支孔１０５に対向する一対の外周側面中央には、軸支孔１０５に回動自在に挿入される小突起からなる軸部１６５が形成されている。
【００２４】
つまみ本体１７０は略矩形状の合成樹脂（たとえば熱可塑性の難燃性のポリアミド樹脂）の成型品であり、前記つまみ外装体１６０の本体収納部１６１にほぼぴったり収納できる寸法形状に形成されている。つまみ本体１７０には、前記つまみ外装体１６０の各本体取付部１６３を挿入・貫通させる小孔からなる外装体取付部１７１が形成され、またその下面の略中央には一対の下方向に突出する円筒状の操作レバー本体部１７３が形成されている。両操作レバー本体部１７３は、つまみ本体１７０下面中央の幅方向（操作つまみ１５０の揺動軸線方向）に配置されている。操作レバー本体部１７３の下面には下記する弾発部材１８０を上下動自在に収納する略円形の凹部からなる弾発部材収納部１７５が形成されている。なお操作レバー本体部１７３と下記する弾発部材１８０とで、操作レバー１９０が構成される。
【００２５】
弾発部材１８０は合成樹脂製（たとえば熱可塑性のポリアミド樹脂やＰＢＴ樹脂または熱硬化性のメラミン樹脂など）で略円柱形状の弾発部１８１と、コイルばね１８７とによって構成されている。弾発部１８１はその下端面が略球面状に突出する弾接面１８３となっており、その上端面がコイルばね１８７を挿入する凹状のばね収納部１８５となっている。
【００２６】
次にこのスイッチ１を組み立てるには、まず前述のように第１，第２固定接点体４０，５０を取り付けた内側ケース１０を，外側ケース１００の内側ケース収納部１０１内に収納する。このとき内側ケース１０の底面の各突堤２５を外側ケース１００の各端子挿通部１０３内に挿入し、各端子４３，５３を外側ケース１００の下面から突出させる。このとき内側ケース１０の底面は外側ケース１００の内底面に当接する。
【００２７】
次に内側ケース１０の各接点収納部１１内に一対の可動接点体６０を収納し、その際可動接点体６０の係止部６３に第２固定接点体５０の可動接点体係止部５６を係止し、同時に可動接点体６０の常接接点６５を第２固定接点体５０の固定接点５５に線状に当接する。これによって可動接点体６０は常接接点６５を固定接点５５に当接した状態のままこの当接線を中心に揺動自在となる。
【００２８】
前記カバー８０を外側ケース１００の内側ケース収納部１０１内に収納し、内側ケース１０の上面の開口を塞ぐ。次に外側ケース１００の対向する両側壁にそれぞれ設けた取付部１０７ｂにそれぞれ押え部材１３０の挿入突起部１３１を設けた端部側を挿入して差し込んでゆき、それぞれ反対側の側壁に設けている取付部１０７ａに挿入突起部１３１を嵌合する。このとき押え部材１３０はカバー８０のガイド溝８５中にガイドされながら挿入される。このとき同時に押え部材１３０の係止爪１３３はスリット１３５の幅を縮めるように変形しながら取付部１０７ｂに挿入されてゆき、係止爪１３３全体が内側ケース収納部１０１内に挿入されて元の形状に戻り、押え部材１３０は抜けなくなる。つまり押え部材１３０はいわゆるスナップイン係合によって、容易に外側ケース１００に取り付けることができる。このように押え部材１３０は、外側ケース１００の対向する外周側壁に設けた一対の取付部１０７ａ，１０７ｂにその両端が係止されることで、内側ケース収納部１０１内にこれを横断するように架け渡され、同時に外側ケース１００に固定される押え部材１３０の下面によってカバー８０の上面が内側ケース１０に押し付けられ、これによって内側ケース１０とカバー８０と外側ケース１００とが一体化する。
【００２９】
一方つまみ外装体１６０の本体収納部１６１内に、つまみ本体１７０の上面側を収納し、その際つまみ外装体１６０の各本体取付部１６３をつまみ本体１７０の各外装体取付部１７１に挿入し、つまみ本体１７０の下面に突出する各本体取付部１６３の先端を熱かしめによって潰し、つまみ外装体１６０とつまみ本体１７０とを一体化しておく。そしてつまみ本体１７０の一対の弾発部材収納部１７５に弾発部材１８０を収納し、さらにこの操作つまみ１５０を、前記内側ケース１０などを収納した外側ケース１００の内側ケース収納部１０１内に収納し、その際、つまみ外装体１６０に設けた軸部１６５を外側ケース１００に設けた軸支孔１０５に挿入し、これによって操作つまみ１５０を外側ケース１００に対して揺動自在に軸支する。このとき操作つまみ１５０の操作レバー１９０はカバー８０の操作レバー挿通孔８３を貫通し、先端の一対の弾発部１８１の弾接面１８３がそれぞれ各可動接点体６０の上面に弾接する。これによってスイッチ１の組み立てが完了する。なお上記組立手順はその一例であり、他の各種異なる組立手順を用いて組み立てても良いことはいうまでもない。
【００３０】
以上のようにして構成されたスイッチ１は、図３に示すように、上面が開口している接点収納部１１を有し、この接点収納部１１内に、少なくとも一対の固定接点体（第１，第２固定接点体）４０，５０と、一対の固定接点体４０，５０間を接離する可動接点体６０とを収納し、底面に固定接点体４０，５０から導出される端子４３，５３を突出してなる内側ケース１０と、内側ケース１０の上面を覆うとともに操作レバー挿通孔８３を設けてなるカバー８０と、上面が開口している内側ケース収納部１０１を有し、この内側ケース収納部１０１に収納した前記内側ケース１０の端子４３，５３を底面から外部に突出する外側ケース１００と、カバー８０の上部に設置され外側ケース１００に揺動自在に軸支されるとともに、カバー８０の操作レバー挿通孔８３に挿入されて前記可動接点体６０を押圧しながら操作する操作レバー１９０を有する操作つまみ１５０とを具備し、内側ケース１０の底面を外側ケース１００の内側ケース収納部１０１の内底面に当接させた状態で、外側ケース１００の内側ケース収納部１０１内を横断するように架け渡されて外側ケース１００に固定される押え部材１３０によってカバー８０の上面を内側ケース１０に押し付け、これによって内側ケース１０とカバー８０と外側ケース１００とを一体化するように構成されている。
【００３１】
図３は操作つまみ１５０が一方の側に揺動しきって安定している状態を示している。同図に示す状態は、操作つまみ１５０の操作レバー１９０の弾発部１８１の弾発面１８３が可動接点体６０の常接接点６５から見てオンオフ接点６１とは反対側の上面を弾接している状態を示しており、これによって可動接点体６０はその当接部６７が内側ケース１０の内底面に当接し、従ってオンオフ接点６１は第１固定接点体４０の固定接点４５から離れ、第１，第２固定接点体４０，５０間はオフ状態となっている。
【００３２】
次に前記操作つまみ１５０の上方向に持ち上がっている側の上面を押し込む方向に（図３に示す矢印Ｂ方向に）押圧すると、弾発部１８１の弾発面１８３が可動接点体６０の上面をオンオフ接点６１側に向けて移動（摺動）を始め、可動接点体６０の常接接点６５の部分に至るまではコイルばね１８７が押し縮められて弾発部１８１は弾発部材収納部１７５内に押し込められ、弾発面１８３が常接接点６５の部分を通過した際に可動接点体６０は常接接点６５の部分を中心にオンオフ接点６１側が下降するように揺動を始め、押し縮められていたコイルばね１８７の弾発力によって可動接点体６０は急激に揺動して図１０に示すように瞬時にオンオフ接点６１が第１固定接点体４０の固定接点４５に当接し、第１，第２固定接点体４０，５０間がオンする。このとき操作つまみ１５０は他方の側に揺動しきって安定する。
【００３３】
ところでこのスイッチ１によれば、内側ケース１０の底面を外側ケース１００の内底面に当接させた状態で、内側ケース収納部１０１内を横断するように架け渡された押え部材１３０によってカバー８０の上面を押え、これによって内側ケース１０とカバー８０と外側ケース１００とを一体化するので、外側ケース１００と内側ケース１０間の固定強度が強く、たとえスイッチ切替時に強い衝撃がスイッチ１に加わっても、外側ケース１００と内側ケース１０間にがたつきを生じる恐れがない。さらにこのスイッチ１によれば、内側ケース１０の底面を外側ケース１００の内底面に当接させた状態で、内側ケース１０内の可動接点体６０を外側ケース１００に取り付けた操作つまみ１５０の操作レバー１９０にて押圧する構成（特にこのスイッチ１の場合はコイルばね１８７によって常に弾発する構成）なので、内側ケース１０はその底面が常に外側ケース１００の内底面に押し付けられ、これによってさらに外側ケース１００と内側ケース１０間の固定強度が強くなり、両者間にがたつきを生じる恐れがさらになくなる。これらのことから操作つまみ１５０の揺動時に生じる衝撃によってスイッチのオンオフタイミングがずれることを確実に防止できる。
【００３４】
またこのスイッチ１によれば、押え部材１３０は、その両端が外側ケース１００の対向する外周側壁に設けた一対の取付部１０７ａ，１０７ｂに係止される構造なので、内側ケース１０や外側ケース１００などを一体化する構造が簡単且つ確実で組立も容易である。さらにこのスイッチ１によれば、外側ケース１００の一方の取付部１０７ｂから押え部材１３０の挿入突起部１３１を設けた側の端部を挿入してゆき、この挿入突起部１３１を他方の取付部１０７ａに係合させるとともに、係止爪１３３を一方の取付部１０７ｂに挿入することで容易に取り付けることができる。特に押え部材１３０の係止爪１３３を設けた側にはスリット１３５があって係止爪１３３の部分には弾性があるので、係止爪１３３はいわゆるスナップイン係合によって容易且つ確実に取り付けることができる。
【００３５】
なお上記スイッチ１において、内側ケース１０とカバー８０間をたとえば内側ケース１０から突出する小突起を設けてこれをカバー８０に設けた小孔に挿入し、小突起の先端をカバー８０の上面で熱かしめするような構成としていない理由の１つは、内側ケース１０とカバー８０が熱硬化性の樹脂製なので熱かしめできないからである。
【００３６】
以上本発明の実施形態を説明したが、本発明は上記実施形態に限定されるものではなく、特許請求の範囲、及び明細書と図面に記載された技術的思想の範囲内において種々の変形が可能である。なお直接明細書及び図面に記載がない何れの形状や構造や材質であっても、本願発明の作用・効果を奏する以上、本願発明の技術的思想の範囲内である。例えば、上記実施形態においては第１，第２固定接点体４０，５０、可動接点体６０、操作レバー１９０をそれぞれ２組設置したが、これらは１組だけ設置しても良いし、３組以上設置しても良い。また上記実施形態では押え部材１３０を２本設置したが、１本だけ設置しても良いし、３本以上設置しても良い。
【符号の説明】
【００３７】
１  スイッチ
１０  内側ケース
１１  接点収納部
４０  第１固定接点体
４１  固定接点部
４３  端子
５０  第２固定接点体
５１  固定接点部
５３  端子
６０  可動接点体
８０  カバー
８３  操作レバー挿通孔
１００  外側ケース
１０１  内側ケース収納部
１０７ａ，１０７ｂ  取付部
１３０  押え部材
１３１  挿入突起部
１３３  係止爪
１３５  スリット
１５０  操作つまみ
１６０  つまみ外装体
１７０  つまみ本体
１７３  操作レバー本体部
１８０  弾発部材
１８１  弾発部
１８７  コイルばね
１９０  操作レバー
【図１】
2011018600.tif 000003
【図２】
2011018600.tif 000004
【図３】
2011018600.tif 000005
【図４】
2011018600.tif 000006
【図５】
2011018600.tif 000007
【図６】
2011018600.tif 000008
【図７】
2011018600.tif 000009
【図８】
2011018600.tif 000010
【図９】
2011018600.tif 000011
【図１０】
2011018600.tif 000012